(57)【要約】【課題】設置スペースが小さく、利用効率の高い光断層画像撮像装置を構成することが可能となる接続用アダプター等を提供する。【解決手段】被検体である眼底の断層画像を撮像する光断層画像撮像装置における眼底カメラ本体部と、該眼底カメラ本体部に取り付けられる前記眼底の表面画像を撮像するカメラ部との間に介在し、該眼底カメラ本体部と該カメラ部とを着脱可能に接続する接続用アダプターであって、  前記眼底カメラ本体部から導光された前記断層画像を撮像するための断層画像測定光を、断層画像撮像部に導光する第１の導光手段と、  前記眼底カメラ本体部から導光された前記眼底の表面画像を撮像するための眼底画像測定光を、前記カメラ部に導光する第２の導光手段と、  を有する構成とする。【選択図】            図２
2010119836.tif 000002
【特許請求の範囲】
【請求項１】
被検体である眼底の断層画像を撮像する光断層画像撮像装置における眼底カメラ本体部と、該眼底カメラ本体部に取り付けられる前記眼底の表面画像を撮像するカメラ部との間に介在し、該眼底カメラ本体部と該カメラ部とを着脱可能に接続する接続用アダプターであって、
前記眼底カメラ本体部から導光された前記断層画像を撮像するための断層画像測定光を、断層画像撮像部に導光する第１の導光手段と、
前記眼底カメラ本体部から導光された前記眼底の表面画像を撮像するための眼底画像測定光を、前記カメラ部に導光する第２の導光手段と、
を有することを特徴とする接続用アダプター。
【請求項２】
前記第１の導光手段と前記第２の導光手段とに、前記断層画像測定光あるいは前記眼底画像測定光を分岐して導光するビームスプリッターを備えていることを特徴とする請求項１に記載の接続用アダプター。
【請求項３】
前記ビームスプリッターが、前記断層画像測定光の波長の一部を有する光を、前記第２の導光手段に導光することを特徴とする請求項２に記載の接続用アダプター。
【請求項４】
前記被検体である眼に注視させるための固視灯と、
前記第１の導光手段あるいは前記第２の導光手段と、
前記固視灯との光路中に設けられるクイックリターンミラーと、
を備えていることを特徴とする請求項１乃至３のいずれか１項に記載の接続用アダプター。
【請求項５】
前記被検体である眼の位置合わせに用いるエリアセンサと、
前記第１の導光手段あるいは前記第２の導光手段と、
前記エリアセンサとの光路中に、クイックリターンミラーと、
を備え、前記エリアセンサが取得した画像情報を画像表示手段へ出力可能に構成されていることを特徴とする請求項１乃至３のいずれか１項に記載の接続用アダプター。
【請求項６】
前記眼底カメラ本体部と前記接続用アダプターとのそれぞれの位置を調整する位置調整手段と、
前記眼底カメラ本体部と前記接続用アダプターとのそれぞれの光軸の位置関係を調整する光軸調整手段との少なくとも何れかを備えていることを特徴とする請求項１乃至５のいずれか１項に記載の接続用アダプター。
【請求項７】
被検体である眼底の断層画像を撮像する光断層画像撮像装置における眼底カメラ本体部と、
該眼底カメラ本体部に取り付けられる前記眼底の表面画像を撮像するカメラ部と、
前記眼底カメラ本体部とカメラ部との間に介在し、該眼底カメラ部と該カメラ部とを接続するための請求項１乃至６のいずれか１項に記載の接続用アダプターと、
前記接続用アダプターにおける第１の導光手段から導光された前記断層画像測定光により前記断層画像を撮像する断層画像撮像部と、
を有することを特徴とする光断層画像撮像装置。
【請求項８】
請求項７に記載の光断層画像装置に備えられているコンピュータに、該光断層画像装置における撮像処理を実行させることを特徴とするプログラム。
【請求項９】
請求項８に記載のプログラムが格納され、該プログラムを前記コンピュータが読み取り可能であることを特徴とする記憶媒体。
【請求項１０】
前記眼底カメラ本体は、眼底位置に対して光学的にほぼ共役な眼底共役面が存在するように構成されていることを特徴とする請求項７に記載の光断層画像撮像装置。
【請求項１１】
前記眼底共役面には、眼底カメラ本体部の光軸を示すためのチャートが挿入可能に構成されていることを特徴とする請求項１０に記載の光断層画像撮像装置。
【請求項１２】
前記カメラ部は、断層画像測定光の少なくとも一部の波長に感度を持つように設けられたエリアセンサを有していることを特徴とする請求項７、請求項１０、請求項１１のいずれか１項に記載の光断層画像撮像装置。
【発明の詳細な説明】
【技術分野】
【０００１】
本発明は、接続用アダプター、光断層画像撮像装置、撮像処理を実行させるプログラム及びその記憶媒体に関し、特に眼科診療等に用いられる光断層画像撮像装置に用いられる接続用アダプターに関するものである。
【背景技術】
【０００２】
現在、多波長光波干渉を利用した光コヒーレンストモグラフィ（ＯＣＴ：Ｏｐｔｉｃａｌ  Ｃｏｈｅｒｅｎｃｅ  Ｔｏｍｏｇｒａｐｈｙ）による光断層画像撮像装置は、試料の断層画像を高解像度に得ることができる。以下、これをＯＣＴ装置と記す。
上記ＯＣＴ装置によると、低コヒーレント光である測定光を、サンプルに照射し、そのサンプルからの後方散乱光を、干渉系を用いることで高感度に測定することができる。
また、ＯＣＴ装置は測定光を、サンプル上にスキャンすることで、断層画像を得ることができる。
そのため、被検眼の眼底における網膜の断層画像を高解像度に撮像することも可能であることから、網膜の眼科診断等において広く利用されている。
【０００３】
現在、ＯＣＴ装置は様々な改善・改良が続けられているが、未だ高価で大掛かりな装置という位置付けである。
そのため、設置スペースや装置価格、採算性等の問題から、ＯＣＴ装置の普及は大病院あるいは一部の一般開業医等に留まっている。
従来、このようなＯＣＴ装置において、眼底の断層画像を撮像可能とする一方、切り換え手段による切り換えにより眼底の表面画像も撮像可能とした、断層画像形成装置と２次元画像を形成するカメラとを組合せて複合装置を構成したＯＣＴ装置が知られている。
さらに近年では、上記のように複合装置を構成したＯＣＴ装置において、特許文献１のように、眼底における断層画像と表面画像の双方を同時に取得可能とした眼底観察装置が提案されている。
この装置では、眼底カメラユニットとＯＣＴユニットを構成し、眼底カメラユニットの光コネクタにＯＣＴユニットが接続可能とされている。
【先行技術文献】
【特許文献】
【０００４】
【特許文献１】特開２００７−１８１６３１号公報
【発明の概要】
【発明が解決しようとする課題】
【０００５】
上記したとおり、ＯＣＴ装置の一般開業医への導入においては、設置スペースが小さく、採算性が高いことが望まれる。
上記特許文献１では、眼底の断層画像と表面画像の双方が同時に取得可能であるが、眼底カメラとＯＣＴ装置とが、別個にユニット化され、光コネクタを介して接続されるものであることから、設置スペースを小さくする上で、必ずしも満足の得られるものではない。
【０００６】
本発明は、上記課題に鑑み、設置スペースが小さく、調整容易な構成であって、利用効率の高い光断層画像撮像装置を構成することが可能となる接続用アダプター、光断層画像撮像装置、撮像処理を実行させるプログラム及びその記憶媒体の提供を目的とする。
【課題を解決するための手段】
【０００７】
本発明の接続用アダプターは、
被検体である眼底の断層画像を撮像する光断層画像撮像装置における眼底カメラ本体部と、該眼底カメラ本体部に取り付けられる前記眼底の表面画像を撮像するカメラ部との間に介在し、該眼底カメラ本体部と該カメラ部とを着脱可能に接続する接続用アダプターであって、
前記眼底カメラ本体部から導光された前記断層画像を撮像するための断層画像測定光を、断層画像撮像部に導光する第１の導光手段と、
前記眼底カメラ本体部から導光された前記眼底の表面画像を撮像するための眼底画像測定光を、前記カメラ部に導光する第２の導光手段と、
を有することを特徴とする。
また、本発明の光断層画像撮像装置は、被検体である眼底の断層画像を撮像する光断層画像撮像装置における眼底カメラ本体部と、
該眼底カメラ本体部に取り付けられる前記眼底の表面画像を撮像するカメラ部と、
前記眼底カメラ本体部とカメラ部との間に介在し、該眼底カメラ部と該カメラ部とを接続するための上記した接続用アダプターと、
前記接続用アダプターにおける第１の導光手段から導光された前記断層画像測定光により前記断層画像を撮像する断層画像撮像部と、
を有することを特徴とする。
また、本発明のプログラムは、上記光断層画像装置に備えられたコンピュータに、該光断層画像装置における撮像処理を実行させることを特徴とする。
また、本発明の記憶媒体は、上記プログラムが格納され、該プログラムを前記コンピュータが読み取り可能に構成されていることを特徴とする。
【発明の効果】
【０００８】
本発明によれば、利用効率の高い光断層画像撮像装置を構成することが可能となる光断層画像撮像装置に用いられる接続用アダプター、光断層画像撮像装置、撮像処理を実行させるプログラム及びその記憶媒体を実現することができる。
【図面の簡単な説明】
【０００９】
【図１】本発明の実施例１におけるＯＣＴ装置の全体の構成について説明する図である。
【図２】図２（ａ）は実施例１におけるＯＣＴ装置の光学系の構成について説明する図、図２（ｂ）は実施例２におけるＯＣＴ装置の光学系の構成について説明する図である。
【図３】本発明の実施例１におけるＯＣＴ撮像部の光学系の構成について説明する図である。
【図４】本発明の実施例１における断層画像の撮像方法について説明する図である。
【図５】図５（ａ）は実施例３におけるＯＣＴ装置の光学系の構成について説明する図、図５（ｂ）は実施例３における光軸調整時の表示部での表示について説明する図、図５（ｃ）は実施例３における調整工程について説明する図である。
【発明を実施するための形態】
【００１０】
以下に、本発明の実施形態について説明する。
本実施形態においては、上記した本発明の構成を適用して、例えば、次の（１）〜（２５）のような接続用アダプター（図１の４００）、光断層画像撮像装置（図１の２００）を構成することができる。
（１）本実施形態の接続用アダプターは、図１に示されるように、
被検体である眼底の断層画像を撮像する光断層画像撮像装置における眼底カメラ本体部（３００）と、該眼底カメラ本体部に取り付けられる前記眼底の表面画像を撮像するカメラ部（５００）との間に介在し、該眼底カメラ本体部と該カメラ部とを着脱可能に接続するように構成される。
具体的には、前記眼底カメラ本体部から導光された前記断層画像を撮像するための断層画像測定光を、断層画像撮像部に導光する第１の導光手段と、
前記眼底カメラ本体部から導光された前記眼底の表面画像を撮像するための眼底画像測定光を、前記カメラ部に導光する第２の導光手段と、を備えている。
その際、前記眼底カメラ本体部は、前記断層画像を撮像するための断層画像測定光と、前記眼底の表面画像を撮像するための眼底画像測定光とを導光するため、つぎのように構成することができる。
例えば、図２（ａ）に示される眼底カメラ本体部３００において、光路３５１におけるミラー３０６、フィールドレンズ３２２、ミラー３０７、リレーレンズ３０８によって、これらを導光するように構成することができる。
また、上記第１の導光手段は、例えば図２（ａ）に示されるダイクロイックミラー４０５を介して分割される光路３５１−１、リレーレンズ４０７等により構成される。
また、上記第２の導光手段は、例えば図２（ａ）に示されるダイクロイックミラー４０５を介して分割される光路３５１−２、リレーレンズ４０６等により構成される。
このように構成した接続用アダプターを用いることにより、既存の眼底カメラにＯＣＴ装置の機能を追加することが可能になり、スペースの利用効率が高く、採算性の高いＯＣＴ装置を実現することが可能になる。
（２）前記第１の導光手段は、走査光学系（図２（ａ）のＸＹスキャナ４０８）を含んだ構成とすることができる。
これにより、前記第１の導光手段から前記断層画像撮像部への導光を容易に行えるようにすることができる。
また、このような走査光学系を接続用アダプターの内部に設置する構成を採ることで、前記走査光学系の調整の手間を最小限にすることが可能となる。
（３）本実施形態の接続用アダプターは、前記第１の導光手段と前記第２の導光手段とに前記断層画像測定光と前記眼底画像測定光の少なくとも何れかを分岐して導光するビームスプリッター（図２（ａ）のダイクロイックミラー４０５）を備えた構成とすることができる。
これにより、カメラ部へ眼底画像測定光を導光する光路（第２の導光手段）と、断層画像撮像部へ断層画像測定光を導光する光路（第１の導光手段）とに効率的に分岐することが可能になる。
また、眼底画像測定光あるいは断層画像測定光を偏光状態や波長によって分岐することが可能になる。そのため、例えば、眼底画像を可視光、断層画像を赤外光でそれぞれ取得することが可能になる。
（４）本実施形態の接続用アダプターは、前記眼底カメラ本体部と前記カメラ部との間で電気信号の中継を行う電気信号中継手段（図２（ａ）のパソコン１２５）を備えている構成とすることができる。
これにより、眼底画像の撮像時に前記眼底カメラ本体部と前記カメラ部との間で、電気的に情報を通信することが可能になり、容易に同期をとることが可能になる。
（５）本実施形態の接続用アダプターは、前記被検体である眼に注視させるための固視灯（図２（ａ）の４０１）を備えている構成とすることができる。
これにより、ブレの少ない眼底画像と断層画像とを取得することが可能になる。（６）本実施形態の接続用アダプターは、前記第１の導光手段と前記第２の導光手段との少なくとも何れかと前記固視灯との光路中に、クイックリターンミラー（図２（ａ）の４０４）を備えている構成とすることができる。
これにより、前記被検眼からの眼底画像測定光あるいは断層画像測定光を効率よく、カメラ部あるいは断層画像撮像部に導くことが可能となる。
（７）本実施形態の接続用アダプターは、前記被検体である眼の位置合わせに用いるエリアセンサ（図２（ａ）の４０２）を備え、前記エリアセンサが取得した画像情報を画像表示手段へ出力可能に構成することができる。
これにより、位置合わせを効率的に行うことができ、所望の部位の眼底画像と断層画像とを容易に取得することが可能となる。
（８）前記第１の導光手段と前記第２の導光手段との少なくとも何れかと前記エリアセンサとの光路中に、クイックリターンミラー（図２（ａ）の４０４）を備えている構成とすることができる。
これにより、前記被検眼からの眼底画像測定光あるいは断層画像測定光を効率よく、カメラ部あるいは断層画像撮像部に導くことが可能となる。
（９）本実施形態の接続用アダプターは、走査光学系（図２（ａ）の４０８）、または固視灯（図２（ａ）の４０１）、または前記エリアセンサ（図２（ａ）の４０２）を制御する電子回路（図２（ａ）の３５５、３５６）を備える。
そして、該電子回路は独立した電源（図２（ａ）の３５３）から供給される電力により駆動可能に構成することができる。
これにより、接続用アダプター内のクイックリターンミラーや固視灯、ＸＹスキャナ等を容易に制御することが可能になる。
（１０）本実施形態の接続用アダプターは、前記眼底カメラ本体部と前記接続用アダプターとのそれぞれの位置を調整する位置調整手段を備えている構成とすることができる。
これにより、前記眼底カメラ本体部と前記接続用アダプターとの位置を調整し、前記接続用アダプターを様々な前記眼底カメラ本体部に取り付けることが可能になる。
（１１）本実施形態の接続用アダプターは、前記眼底カメラ本体部と前記接続用アダプターとのそれぞれの光軸の位置関係を調整する光軸調整手段を備えている構成することができる。
これにより、前記眼底カメラ本体部と前記接続用アダプターとの光軸を同一軸上に配置するよう調整することが可能となる。
また、前記接続用アダプターを様々な前記眼底カメラ本体部に取り付けることが可能になる。
（１２）本実施形態の接続用アダプターは、前記断層画像測定光の焦点位置を調整する手段（図２（ａ）の４０９）を有することで、断層画像測定光を被検体の所望の位置に集光するように、焦点位置を調整することが可能となる。また、該焦点位置は眼底カメラの焦点位置とは独立して調整できる。
（１３）本実施形態の接続用アダプターは、前記ビームスプリッターが、断層画像測定光の波長の一部を第２の導光手段に導光することでカメラ部側に断層画像測定光の一部を導光して、カメラ部側から断層画像測定光を光軸調整時に参照することができる。
（１４）本実施形態の光断層画像撮像装置は、被検体である眼底の断層画像を撮像する光断層画像撮像装置における眼底カメラ本体部（図１の３００）と、
該眼底カメラ本体部に取り付けられる前記眼底の表面画像を撮像するカメラ部（図１の５００）と、
前記眼底カメラ本体部とカメラ部との間に介在し、該眼底カメラ部と該カメラ部とを接続するために上記したいずれかに記載の接続用アダプターによって構成された接続用アダプター（図１（ａ）の４００）と、
前記接続用アダプターにおける第３の導光手段から導光された前記断層画像測定光により前記断層画像を撮像する断層画像撮像部（図１（ａ）の１００）と、を有する構成とすることができる。
このような構成により、既存の眼底カメラにＯＣＴ装置の機能を追加することが可能になり、スペースの利用効率が高く、採算性の高いＯＣＴ装置を実現することが可能になる。
その際、光断層画像装置に備えられたコンピュータに、該光断層画像装置における撮像処理を実行させるプログラムを作製し、該プログラムを記憶媒体に格納して該コンピュータが読み取り可能な構成を採ることができる。
（１５）本実施形態の光断層画像撮像装置は、前記眼底カメラ本体部、前記断層画像撮像部、前記カメラ部、および前記接続用アダプターのうちの、少なくとも２つ以上の構成部に共通の電源（図２（ａ）の３５３）から電力が供給可能に構成することができる。
このような構成により、外部からの電源供給の配線を簡単にすることができる。
（１６）本実施形態の光断層画像撮像装置は、前記眼底カメラ本体部が前記接続用アダプターに取り付けられた際に、前記眼底カメラ本体部が有するクイックリターンミラー（図２（ａ）の、３１８、４０４）の制御が可能に構成することができる。
このような構成により、撮像時に、前記眼底カメラ本体部と前記接続用アダプターとにそれぞれ設置されている前記クイックリターンミラーの一方を選択して使用することが可能になる。
（１７）本実施形態の光断層画像撮像装置は、前記カメラ部で取得する眼底画像と前記断層画像撮像部で取得する断層画像との位置関係を対応付けて表示する画像表示手段（図２（ａ）、（ｂ）、図３、のパソコン１２５）を有する構成とすることができる。
このように、前記カメラ部で取得する眼底画像と前記断層画像部で取得する断層画像との位置関係を対応付けて表示することで、被検眼の状態の把握が容易になる。また、３次元画像を作成することが可能になる。
（１８）本実施形態の光断層画像撮像装置は、前記断層画像撮像部が分散補償手段（図３の分散補償用ガラス１１５）を有する構成とすることができる。
このような構成により、前記眼底カメラ本体部と前記断層画像撮像部との光学的分散のずれを補償することができる。
また、何れの眼底カメラ本体部に対しても、分散補償を行うことが可能になる。
（１９）本実施形態の光断層画像撮像装置は、前記眼底カメラ本体部と前記接続用アダプターとのそれぞれの位置を調整する位置調整手段を有する構成とすることができる。
これにより、前記眼底カメラ本体部と前記接続用アダプターとの位置を調整し、前記接続用アダプターを様々な前記眼底カメラ本体部に取り付けることが可能になる。
（２０）本実施形態の光断層画像撮像装置は、前記眼底カメラ本体部と前記接続用アダプターとのそれぞれの光軸の位置関係を調整する光軸調整手段を有する構成とすることができる。
これにより、前記眼底カメラ本体部と前記接続用アダプターとの光軸を同一軸上に配置するよう調整することが可能となる。
また、前記接続用アダプターを様々な前記眼底カメラ本体部に取り付けることが可能になる。
（２１）本実施形態の光断層画像撮像装置は、前記眼底カメラ本体部と前記接続用アダプターと前記カメラ部と前記断層画像撮像部との少なくとも何れかが、共通の制御装置から制御されることで、上記各構成の間での同期が取りやすくなる。例えば、焦点位置の調整と撮像のタイミングとを同期することが容易になる。（２２）本実施形態の光断層画像撮像装置は、前記ビームスプリッターが、断層画像測定光の波長の一部を第２の導光手段に導光する。このことによりアダプターのカメラ部側から断層画像測定光の位置を観察できるようになり、断層画像測定光の光軸調整の参照に利用できる。
（２３）本実施形態の光断層画像撮像装置は、前記眼底カメラ本体部内に眼底位置に対して光学的にほぼ共役な眼底共役面（図５（ａ）の６０１）を持つ。このことで眼底カメラ本体部が長い光路を持つものであっても、前記眼底共役面を参照して調整することで調整が容易となる。
（２４）本実施形態の光断層画像撮像装置は、前記眼底共役面に眼底カメラ本体部の光軸を指示するためのチャート（図５（ａ）の８０１）を挿入可能に備える。このことより断層画像測定光の光軸調整がより正確かつ簡便となる。
（２５）本実施形態の光断層画像撮像装置は、前記カメラ部が断層画像測定光の少なくとも一部の波長に感度がある。このことより断層画像測定光の光軸調整時の観察が、カメラ部を用いて行うことができ、特別な観察用の治工具などが不要となる。
【実施例】
【００１１】
つぎに、本発明の実施例について説明する。
［実施例１］
実施例１においては、本発明を適用した、接続用アダプターおよびＯＣＴ装置について説明する。
ここでは特に、被検眼の断層画像（ＯＣＴ像）及び眼底画像（平面像）を撮像する装置について説明する。
本実施例においては、特に断層画像の撮像においては、ＴＤ−ＯＣＴ（Ｔｉｍｅ  Ｄｏｍａｉｎ  ＯＣＴ）について説明する。但し、本発明はこのようなＴＤ−ＯＣＴだけでなく、ＦＤ−ＯＣＴ（Ｆｏｕｒｉｅｒ  Ｄｏｍａｉｎ  ＯＣＴ）にも適用することができる。
まず、本実施例における接続用アダプターを含んだＯＣＴ装置の全体の構成について図１を用いて説明する。
図１に、本実施例における上記全体の構成について説明する図を示す。
図１（ａ）はＯＣＴ装置における眼底カメラ本体部に接続用アダプターを介してカメラが光学的に接続されている構成を示す側面図である。
また、図１（ｂ）はＯＣＴ装置における眼底カメラ本体部に接続用アダプターを介さずにカメラが取り付けられている構成を示す図である。
図１において、２００はＯＣＴ装置、１００はＯＣＴ撮像部、３００はＯＣＴ装置における眼底カメラ本体部、４００は接続用アダプター、５００は既存のカメラによるカメラ部である。
【００１２】
本実施例においては、図１（ａ）に示されるように、ＯＣＴ装置における眼底カメラ本体部３００に対して、接続用アダプター４００を介して、カメラ部５００が取り付けられ、これらが光学的に接続されるように構成されている。
また、眼底カメラ本体部３００と接続用アダプター４００とは、相対的に移動可能に支持されており、位置調整を行うことができ、本実施例の特徴としている。また、接続用アダプター４００とＯＣＴ撮像部１００とは、光ファイバー１４８を介して光学的に接続されるように構成されている。
その際、接続用アダプター４００にはコネクタ４１０が設けられており、またＯＣＴ撮像部１００にはコネクタ１４７が設けられていて、これらによって簡単に取り付け及び取り外しが可能に構成されている。また、コネクタ４１０は光軸に垂直あるいは平行な方向に移動可能に支持されており、光軸調整を行うことができ、本実施例の特徴としている。
また、３２３はあご台であり、被検者のあごと額とを固定することで、被検眼の固定を促し、撮像を行うようにされている。
１２５はパソコンであり、これにより断層画像の形成や表示等を行う。
【００１３】
また、図１（ｂ）に示されるように、眼底カメラ本体部３００に接続用アダプター４００を介さずにカメラ部５００を取り付け、これらにより１つの眼底カメラ７００を構成することができる。
このように構成された眼底カメラ７００において、カメラ部５００を眼底カメラ本体部３００から取り外し、カメラ部５００と眼底カメラ本体部３００との間に接続用アダプター４００を取り付ける。
これにより、カメラ部５００を備えたＯＣＴ装置２００を構成することができる。
ここで、カメラ部５００としては、既存の一般的に用いられている汎用のデジタル一眼レフカメラ等が用いられる。
このカメラ部５００と、接続用アダプター４００あるいは眼底カメラ本体部３００とは、汎用のカメラマウントで取り付けられるように構成されている。
【００１４】
つぎに、本実施例における接続用アダプターを含んだＯＣＴ装置の光学系の具体的な構成について説明する。
図２に、本実施例における光学系の具体的な構成について説明する図を示す。
図２において、図１と共通の構成には同一の符号が用いられているので、重複する部分の説明については省略する。
図２において、１０７は被検眼、１２７は網膜である。
本実施例のＯＣＴ装置２００は、ＯＣＴ撮像部１００とカメラ部５００とを用いて被検眼１０７の網膜１２７の断層画像（ＯＣＴ像）及び眼底画像（平面像）を取得するように構成されている。
【００１５】
まず、眼底カメラ本体部３００について説明する。
図２において、３０２は対物レンズ、３０３は孔あきミラー、３０４はフォーカスレンズ、３０５は結像レンズ、３０８はリレーレンズ、３１０は光学フィルター、３１２はリングスリット、３１３、３１５はコンデンサレンズである。
３１４はストロボ管、３１６はハロゲンランプ、３１８はクイックリターンミラー、３１９はダイクロイックミラー、３２０は固視灯、３２１はエリアセンサ、３２２はフィールドレンズである。
３５１、３５２は光路、３５３は電源、３５４はケーブル、３５５、３５６は電子回路である。
本実施例の眼底カメラ本体部３００において、被検眼１０７に対向して、対物レンズ３０２が設置され、その光軸上で孔あきミラー３０３によって光路３５１と光路３５２とに分岐される。
光路３５２は被検眼１０７の眼底を照明する照明光学系を形成している。
眼底カメラ本体部３００の下部には、被検眼１０７の位置合わせに用いられるハロゲンランプ３１６、被検眼１０７の眼底の撮像に用いるストロボ管３１４が設置されている。
ここで、３１７はミラーである。ハロゲンランプ３１６とストロボ管３１４とからの照明光はリングスリット３１２によってリング状の光束となり、孔あきミラー３０３によって反射され、被検眼１０７の眼底を照明する。
ここで、３０９、３１１はレンズである。
【００１６】
光路３５１は被検眼１０７の眼底の断層画像及び眼底画像を撮像する撮像光学系を形成している。
孔あきミラー３０３の右方にはフォーカスレンズ３０４と結像レンズ３０５が設置されている。
ここで、フォーカスレンズ３０４は矢印で示す光軸方向に移動可能に支持されている。
次に、クイックリターンミラー３１８を介して、光路３５１は固視灯３２０及びエリアセンサ３２１に導かれている。
ここで、クイックリターンミラー３１８の表面は銀及びその保護膜が順に成膜されている。
また、ダイクロイックミラー３１９は、固視灯３２０方向に可視光が、エリアセンサ３２１方向に赤外光がそれぞれ分岐されるよう設計されている。
また、光路３５１はミラー３０６、フィールドレンズ３２２、ミラー３０７、リレーレンズ３０８を介して、接続用アダプター４００に導かれる。
また、電源３５３はケーブル３５４を介して、ＯＣＴ撮像部１００と眼底カメラ本体部３００と接続用アダプター４００とカメラ部５００とに電力を供給する。このように電力の供給を一つにまとめることで、装置間の接続を簡単に行うことが可能となる。
また、電子回路３５６は、クイックリターンミラー３１８とフォーカスレンズ３０４とを制御する目的で設置されている。その電力は電源３５３により供給される。
また、眼底画像の撮像時に眼底カメラ本体部３００とカメラ部５００との間で、電気的に情報を通信することが可能となるように、パソコン１２５、電子回路３５６を介してこれらの間で電気信号の中継を行い、同期をとること等が可能に構成されている。
【００１７】
つぎに、接続用アダプター４００について説明する。
図２において、４０１は固視灯、４０２はエリアセンサ、４０３はダイクロイックミラー、４０４はクイックリターンミラー、４０５はダイクロイックミラーである。
４０６、４０７はリレーレンズ、４０８はＸＹスキャナ、４０９はコリメートレンズ、４１０はコネクタである。
【００１８】
本実施例の接続用アダプター４００は、光路３５１をダイクロイックミラー４０５を介して、断層画像撮像用の光路３５１−１と眼底画像撮像用の光路３５１−２とに分割することを最大の機能としている。
なお、この断層画像撮像用の光路３５１−１は第１の導光手段に対応するものであり、眼底画像撮像用の光路３５１−２は第２の導光手段に対応するものである。
ここでは、リレーレンズ４０６、４０７は移動可能に保持され、細かな位置調整を行うことで、光路３５１−１と３５１−２との光軸をそれぞれ調整することができる。また、ここでは、説明を簡単にするため、走査光学系を構成するＸＹスキャナ４０８は一つのミラーとして記載されている。
しかし、実際にはＸスキャン用ミラーとＹスキャン用ミラーとの２枚のミラーが近接して配置され、網膜１２７上を光軸に垂直な方向にラスタースキャンするものである。
また、光路３５１−１の光軸はＸＹスキャナ４０８の２つのミラーの回転中心と一致するように調整されている。
また、コネクタ４１０は光ファイバー１４８を取り付けるためのコネクタである。
さらに、接続用アダプター４００は眼底カメラ本体部３００と同様に、固視灯４０１とエリアセンサ４０２とを有している。
コリメートレンズ４０９は光ファイバー１４８を伝播する光を平行光にする役割を持っている。さらに、コリメートレンズ４０９は移動可能に支持され、被検体である網膜１２７へのフォーカシングの調整にも用いることができる。また、電子回路３５５を介して、パソコン１２５はコリメートレンズの位置調整を行うことができる。
エリアセンサ４０２で得た画像情報はパソコン１２５を用いて表示され、被検眼の位置合わせに用いられる。
ダイクロイックミラー４０３も眼底カメラ本体部３００と同様で、固視灯４０１方向に可視光が、エリアセンサ４０２方向に赤外光が分岐されるよう設計されている。
ここで、クイックリターンミラー４０４は赤外光の一部を反射し、可視光を反射するように設計されている。
赤外光の一部を反射するよう設計しているため、固視灯４０１とエリアセンサ４０２とＯＣＴ撮像部１００とを同時に使用することが可能になっている。
また、電子回路３５５は、固視灯４０１とエリアセンサ４０２とＸＹスキャナ４０８を制御する目的で設置されている。接続用アダプター４００とカメラ部５００とは汎用のカメラマウントを介して取り付けられる。
そのため、容易に着脱が可能である。５０１はエリアセンサであり、その表面に眼底画像が形成される。
【００１９】
つぎに、ＯＣＴ撮像部１００の構成について説明する。
図３に、ＯＣＴ撮像部１００の構成について説明する図を示す。
図３において、１０１は光源、１０５は参照光、１０６は測定光、１０８は戻り光、１１４はミラー、１１５は分散補償用ガラス、１１７は電動ステージである。
１２２はバランスドディテクタ、１２３はアンプ、１２４はフィルター、１２５はパソコン、１２８はＡＤコンバータである。
１３０はシングルモードファイバー、１３１は光カプラー、１３３−１は音響光学変調素子、１３３−２はそのコントローラである。
本実施例においては、ＯＣＴ撮像部１００は、被検眼１０７の網膜１２７の断層画像を取得することを目的としている。
また、光学系の一部を光ファイバーを用いて、構成することにより、小型化が図られている。本実施例においては、光路に光ファイバーを用いたが、必ずしも用いる必要はない。
【００２０】
つぎに、ＯＣＴ撮像部１００における光学系の構成について説明する。
ＯＣＴ撮像部１００は、図３に示されるように、全体として、マッハツェンダー干渉系を構成している。
図３において、光源１０１から出射された光は参照光１０５と測定光１０６とに光カプラー１３１−１を介して分割される。
測定光１０６は光カプラー１３１−３を介して、コネクタ１４７に導かれる。
その後、接続用アダプター４００と眼底カメラ本体部３００とを介して、観察対象である被検眼１０７によって反射や散乱により戻り光１０８−１となって戻された後、光カプラー１３１−２によって、参照光１０５と合波される。
参照光１０５と戻り光１０８−１とは合波された後、分割され、バランスドディテクタ１２２に入射される。バランスドディテクタ１２２にて得られた光強度を用いて、眼１０７の断層画像が構成される。
【００２１】
つぎに、光源１０１の周辺について説明する。
光源１０１は代表的な低コヒーレント光源であるＳＬＤ（Ｓｕｐｅｒ  Ｌｕｍｉｎｅｓｃｅｎｔ  Ｄｉｏｄｅ）である。波長は８３０ｎｍ、バンド幅５０ｎｍである。
ここで、バンド幅は、得られる断層画像の光軸方向の分解能に影響するため、重要なパラメーターである。
また、光源の種類は、ここではＳＬＤを選択したが、低コヒーレント光が出射できればよく、ＡＳＥ（Ａｍｐｌｉｆｉｅｄ  Ｓｐｏｎｔａｎｅｏｕｓ  Ｅｍｉｓｓｉｏｎ）等も用いることができる。
また、波長は眼を測定することを鑑みると、近赤外光が適する。さらに波長は、得られる断層画像の横方向の分解能に影響するため、なるべく短波長であることが望ましく、ここでは８３０ｎｍとする。観察対象の測定部位によっては、他の波長を選んでも良い。
光源１０１から出射された光はシングルモードファイバー１３０−１を通して、光カプラー１３１−１に導かれ、強度比１０：９０で分割され、それぞれ測定光１０６、参照光１０５となる。
【００２２】
つぎに、参照光１０５の光路について説明する。
光カプラー１３１−１にて分割された参照光１０５はシングルモードファイバー１３０−２を通して、レンズ１３５−１に導かれ、ビーム径４ｍｍの平行光になるよう、調整される。
次に、参照光１０５は参照ミラー１１４−１〜２に連続して入射され、レンズ１３５−２を用いてシングルモードファイバー１３０−６に導かれる。
ここで、参照光１０５が通過した分散補償用ガラス１１５−１〜２は分散補償用ガラスである。
分散補償用ガラス１１５−１の長さはＬ１であり、一般的な眼の奥行きの２倍と等しいことが望ましい。
分散補償用ガラス１１５−１は眼１０７に測定光１０６が往復した時の分散を、参照光１０５に対して補償するものである。
ここでは、日本人の平均的な眼球の直径とされる２３ｍｍの２倍のＬ１＝４６ｍｍとする。
また、分散補償用ガラス１１５−２は眼底カメラ本体部３００と接続用アダプター４００とにおける光路３５１を測定光１０６と戻り光１０８とが通過したときの分散を、参照光１０５に対して補償するものである。
また、電動ステージ１１７は、矢印で図示している方向に移動することができ、参照光１０５の光路長を、調整・制御することができる。
さらに、音響光学変調素子１３３−１、シングルモードファイバー１３０−７を通って、光カプラー１３１−２に入射される。
ここで、音響光学変調素子１３３−１は光ファイバー用のものであり、コントローラ１３３−２を用いて、１ＭＨｚの周波数シフトを行うことができる。
【００２３】
次に、測定光１０６の光路について説明する。
光カプラー１３１−１によって分割された測定光１０６はシングルモードファイバー１３０−３を通って光カプラー１３１−３に入射される。
その後、シングルモードファイバー１３０−４を通って、コネクタ１４７に導かれる。
その後、光ファイバー１４８、光コネクタ４１０、接続用アダプター４００、眼底カメラ本体部３００を介して、測定光１０６は被検眼１０７の網膜に導かれる。
測定光１０６が眼１０７に入射すると、網膜１２７からの反射や散乱により戻り光１０８となる。
さらに、戻り光１０８は、光カプラー１３１−３によって、戻り光（第１の戻り光）１０８−１と戻り光（第２の戻り光）１０８−２とに分割され、その一方である戻り光１０８−２は、光カプラー１３１−１を透過し、ディテクタ１３８に導かれる。
ここで、ディテクタ１３８は、例えば高速・高感度な光センサであるＡＰＤ（Ａｖａｌａｎｃｈｅ  Ｐｈｏｔｏ  Ｄｉｏｄｅ）が用いられる。
また、もう一方の戻り光１０８−１はシングルモードファイバー１３０−５を通って、光カプラー１３１−２を透過し、バランスドディテクタ１２２に導かれる。
【００２４】
つぎに、本実施例のＯＣＴ撮像部１００における測定系の構成について説明する。
ＯＣＴ撮像部１００はマッハツェンダー干渉系による干渉信号の強度から構成される断層画像（ＯＣＴ像）を取得することができる。
その測定系について説明する。網膜１２７にて反射や散乱された光である戻り光１０８の一方である戻り光１０８−１は、光カプラー１３１−２によって、参照光１０５と合波され、さらに５０：５０に分割される。
次に、シングルモードファイバー１３０−８、１３０−９を通って、バランスドディテクタ１２２に導かれ、参照光１０５と戻り光１０８−１とが合波された光の強度が電圧に変換される。
得られた電圧信号はアンプ１２３にて増幅され、フィルター１２４にて必要な周波数成分を取り出し、ＡＤコンバータ１２８で、電圧信号はデジタル値に変換され、パソコン１２５にて復調及びデータ処理を行い断層画像を形成する。
また、上記説明した戻り光１０８のもう一方の戻り光１０８−２は、光カプラー１３１−１を通り、光ファイバー１３０−１０を通って、ディテクタ１３８に導かれる。
さらに、ディテクタ１３８はパソコン１２５に、電気的に接続され、戻り光１０８−２の強度を記録及び表示を行うことができる。
また、ディテクタ１３８で得られる信号は、網膜１２７での反射や散乱による戻り光１０８−２の強度信号であり、上記干渉信号と異なり、深さ分解能を持たない。
【００２５】
つぎに、ＯＣＴ装置２００を用いた断層画像の取得方法について説明する。
ＯＣＴ装置２００は電動ステージ１１７（図３）とＸＹスキャナ４０８とを制御することで、網膜１２７の所望の部位の断層画像を取得することができる（図２参照）。
撮像時には眼底カメラ本体部３００内のクイックリターンミラー３１８は跳ね上げた状態（破線）とし、固視灯３２０やエリアセンサ３２１は使用しない。
それに対して、接続用アダプター４００内のクイックリターンミラー４０４は跳ね上げない状態（実線）とする。
また、撮像感度の向上を目的として、クイックリターンミラー４０４は跳ね上げて撮像することも可能である。撮像前の被検眼１０７の位置調整は、ハロゲンランプ３１６で網膜１２７を照明し、エリアセンサ４０２で取得した画像情報をパソコン１２５を用いて表示して行う。
適宜、固視灯４０１を用いて、固視を促し、網膜１２７の所望の位置を観察できるよう被検眼１０７の位置等を調整する。
【００２６】
ここでは、図４を用いて網膜１２７の断層画像（光軸に平行な面）の取得方法について説明する。
図４（ａ）は被検眼１０７の模式図であり、ＯＣＴ装置２００によって観察されている様子を示している。
図４（ａ）に示すように、測定光１０６は角膜１２６を通して、網膜１２７に入射すると様々な位置における反射や散乱により戻り光１０８となり、それぞれの位置での時間遅延を伴って、バランスドディテクタ１２２に到達する。
その際、光源１０１のバンド幅が広く、コヒーレンス長が短いために、参照光路の光路長と測定光路の光路長とが等しい場合のみに、バランスドディテクタ１２２にて、干渉信号が検出できる。
上述のように、参照光１０５の周波数は測定光１０６に対して、１ＭＨｚシフトされているので、干渉信号は１ＭＨｚのビート信号となる。
さらに、ＸＹスキャナ４０８のＸ軸を駆動しながら、干渉信号を検知すれば、干渉信号はＸ軸の位置情報を持った信号となる。
この信号の振幅を２乗し、復調することで、戻り光１０８の任意のＸＹ平面におけるＸ軸方向の強度分布が得られる。
さらに、電動ステージ１１７を用いて、参照光路の光路長を動かしながら、同様の動作を繰り返せば、ＸＺ面での戻り光１０８の強度の２次元分布が得られ、それはすなわち断層画像１３２である（図４（ｂ））。
本来は、断層画像１３２は上記説明したように、該干渉信号の強度をアレイ状に並べたものであり、例えば該干渉信号の強度をグレースケールに当てはめて、表示されるものである。ここでは、得られた断層画像の境界のみ強調して表示している。
【００２７】
つぎに、ＯＣＴ装置２００を用いた眼底画像の取得方法について説明する。
ＯＣＴ装置２００はカメラ部５００を用いて、網膜１２７の眼底画像を取得することができる（図２参照）。
撮像前の調整時にはクイックリターンミラー３１８は、上記断層画像の場合と同様に、跳ね上げた状態（破線）とし、固視灯３２０やエリアセンサ３２１は使用しない。
撮像前の被検眼１０７の位置調整は、ハロゲンランプ３１６で網膜１２７を照明し、エリアセンサ４０２で観察して行う。
適宜、固視灯４０１を用いて、固視を促し、網膜１２７の所望の位置を観察できるよう被検眼１０７位置等を調整する。
調整が終了したら、ストロボ管３１４を発光させ、同時にクイックリターンミラー４０４を跳ね上げ、カメラ部５００を用いて、眼底画像を撮像・表示する。
適宜、眼底画像と断層画像１３２との位置を対応付けてパソコン１２５を用いて表示する。
【００２８】
［実施例２］
実施例２においては、本発明を適用した、接続用アダプターおよびＯＣＴ装置について説明する。
実施例２は接続用アダプターが固視灯及びエリアセンサを有していない構成になっている。
眼底カメラと接続用アダプターの光学系の一部以外の項目に関しては、実施例１と同様であるため、以下に、眼底カメラ本体部の光学系と接続用アダプターの光学系の構成についてのみ説明する。
【００２９】
本実施例における接続用アダプターを含んだＯＣＴ装置の光学系の構成について説明する。
図２（ｂ）に、本実施例における光学系の構成について説明する図を示す。
図２（ｂ）において、図１、図２（ａ）と共通の構成には同一の符号が用いられている。
本実施例のＯＣＴ装置２００は、ＯＣＴ撮像部１００とカメラ部５００とを用いて、被検眼１０７の網膜１２７の断層画像（ＯＣＴ像）及び眼底画像（平面像）を取得するように構成されている。
【００３０】
まず、眼底カメラ本体部３００について説明する。
被検眼１０７に対向して、対物レンズ３０２が設置され、その光軸上で孔あきミラー３０３によって光路３５１と光路３５２とに分岐される。
光路３５２は被検眼１０７の眼底を照明する照明光学系を形成している。眼底カメラ本体部３００の下部には、被検眼１０７の位置合わせに用いられるハロゲンランプ３１６、被検眼１０７の眼底の撮像に用いるストロボ管３１４が設置されている。
３１３、３１５はコンデンサレンズ、３１７はミラーである。
ハロゲンランプ３１６とストロボ管３１４とからの照明光はリングスリット３１２によってリング状の光束となり、孔あきミラー３０３によって反射され、被検眼１０７の眼底を照明する。
また、３０９、３１１はレンズ、３１０は光学フィルターである。
光路３５１は被検眼の１０７の眼底の断層画像及び眼底画像を撮像する撮像光学系を形成している。
孔あきミラー３０３の右方にはフォーカスレンズ３０４と結像レンズ３０５が設置されている。
ここで、フォーカスレンズ３０４は矢印で示す光軸方向に移動可能に支持されている。
次に、クイックリターンミラー３１８を介して、光路３５１は固視灯３２０及びエリアセンサ３２１に導かれている。
ここで、クイックリターンミラー３１８は赤外光の一部を反射し、可視光を反射するように設計されている。
赤外光の一部を反射するよう設計しているため、固視灯３２０とエリアセンサ３２１とＯＣＴ撮像部１００とを同時に使用することが可能になっている。
また、３１９はダイクロイックミラーであり、固視灯３２０方向に可視光が、エリアセンサ３２１方向に赤外光がそれぞれ分岐されるよう設計されている。
エリアセンサ３２１で得た画像情報はパソコン１２５を用いて表示され、被検眼の位置合わせに用いられる。
次に、光路３５１はミラー３０６、フィールドレンズ３２２、ミラー３０７、リレーレンズ３０８を介して、接続用アダプター４００に導かれる。
【００３１】
つぎに、本実施例における接続用アダプター４００の構成について図２（ｂ）を用いて説明する。
接続用アダプター４００は光路３５１をダイクロイックミラー４０５を介して、断層画像撮像用の光路３５１−１と眼底画像撮像用の光路３５１−２とに分割することを最大の機能としている。
ここで、４０６、４０７はリレーレンズ、４０８はＸＹスキャナ、４０９はコリメートレンズである。
ここでは、リレーレンズ４０６、４０７は移動可能に保持され、細かな位置調整を行うことで、光路３５１−１と３５１−２との光軸を調整することができる。ここでは、簡単のため、ＸＹスキャナ４０８は一つのミラーとして記したが、実際にはＸスキャン用ミラーとＹスキャン用ミラーとの２枚のミラーが近接して配置され、網膜１２７上を光軸に垂直な方向にラスタースキャンするものである。また、光路３５１−１の光軸はＸＹスキャナ４０８の２つのミラーの回転中心と一致するように調整されている。また、４１０は光ファイバーを取り付けるためのコネクタである。
【００３２】
つぎに、本実施例におけるＯＣＴ装置２００を用いた断層画像の取得方法について説明する。
ＯＣＴ装置２００は電動ステージ１１７（図３）とＸＹスキャナ４０８とを制御することで、網膜１２７の所望の部位の断層画像を取得することができる（図２（ｂ）参照）。
撮像時にはクイックリターンミラー３１８は跳ね上げない状態（実線）とする。撮像前の被検眼１０７の位置調整は、ハロゲンランプ３１６で網膜１２７を照明し、エリアセンサ３２１で観察して行う。
適宜、固視灯３２０を用いて、固視を促し、網膜１２７の所望の位置を観察できるよう被検眼１０７位置等を調整する。
網膜１２７の断層画像の取得方法については実施例１と同様であるため、説明を省略する。
【００３３】
つぎに、本実施例におけるＯＣＴ装置２００を用いた眼底画像の取得方法について説明する。
ＯＣＴ装置２００はカメラ部５００を用いて、網膜１２７の眼底画像を取得することができる（図２（ｂ））。
撮像前の調整時にはクイックリターンミラー３１８は、上記断層画像の場合と同様に、跳ね上げない状態（実線）とする。撮像前の被検眼１０７の位置調整は、ハロゲンランプ３１６で網膜１２７を照明し、エリアセンサ３２１で観察して行う。
適宜、固視灯３２０を用いて、固視を促し、網膜１２７の所望の位置を観察できるよう被検眼１０７位置等を調整する。
調整が終了したら、ストロボ管３１４を発光させ、同時にクイックリターンミラー３１８を跳ね上げ、カメラ部５００を用いて、眼底画像を撮像・表示する。
適宜、眼底画像と断層画像１３２との位置を対応付けてパソコン１２５を用いて表示する。
【００３４】
［実施例３］
実施例３においては、実施例２に付加してダイクロイックミラー４０５の波長特性と、接続用アダプター内光学系の調整方法に特徴がある。
その他の構成に関しては実施例２と同様のため説明を省略する。
本実施例における接続用アダプターを含んだＯＣＴ装置の光学系の構成について説明する。
図５（ａ）に、本実施例における光学系の構成について説明する図を示す。
図５（ａ）において、図１から図４と共通の構成には同一の符号が用いられている。
本実施例のＯＣＴ装置２００は、ＯＣＴ撮像部１００とカメラ部５００とを用いて、被検眼１０７の網膜１２７の断層画像（ＯＣＴ像）及び眼底画像（平面像）を取得するように構成されている。
眼底カメラ本体部３００の構成については実施例２と同様のためこれを省略する。
この眼底カメラ本体部３００にはフィールドレンズ３２２とミラー３０７の間に眼底に対してほぼ共役となる面６０１が存在するように、上述の光学系が備えられており、その位置にチャート８０１が挿入可能な構成となっている。
ただし、眼底に対して共役とは、被検眼が健常眼で０ディオプターの場合の眼底を前提としている。
このチャート８０１については後述する。
【００３５】
つぎに、本実施例における接続用アダプター４００の構成について図５（ａ）を用いて説明する。
接続用アダプター４００は光路３５１をビームスプリッターであるところのダイクロイックミラー４０５を介して、断層画像撮像用の光路３５１−１と眼底画像撮像用の光路３５１−２とに分割する。
なお、ダイクロイックミラー４０５は断層画像用の光Ｂ１の大部分を反射し、一部を透過する特性を持っている。
また、眼底画像撮像用の光Ｂ２は断層画像撮像用の光路３５１−１にはほとんど導かない特性を持つ。
具体的には断層画像撮像用の光源１０１の波長である８０５〜８５５ｎｍの波長の光については大部分を反射し、一部を透過する。眼底画像撮像用の可視域の波長の光についてはほぼ全体を透過し、反射はほとんど無い特性としている。
ここで、４０６、４０７はリレーレンズ、４０８はＸＹスキャナ、４０９はコリメートレンズである。コリメートレンズ４０９は光軸方向に移動可能である。ここでは、リレーレンズ４０６は実施例２と同様に移動可能に保持され、細かな位置調整を行うことで、光路３５１−２の光軸を調整することができる。
ＸＹスキャナ４０８、リレーレンズ４０７、コリメートレンズ４０９、コネクタ４１０は一体のユニット４５１として構成され、このユニット４５１をダイクロイックミラー４０５に対して移動可能とすることで光路３５１−１の光軸を調整することができる。
また、カメラ部５００において、エリアセンサ５０１は断層画像撮像用の光源１０１の波長の少なくとも一部に感度があるように設けられる。
またカメラ部５００には表示部５０２が設けられており、エリアセンサ５０１上に投影された画像を表示できる。
【００３６】
ここで光路の調整について説明する。
まず、カメラ５００部側の光路３５１−２を調整する。リレーレンズ４０６を光軸方向、光軸に垂直な平面内位置を調整することで、エリアセンサ５０１に眼底画像が良好に撮像されるようになる。
次に、断層画像撮像側の光路３５１−１を調整する。図５（ｃ）に調整手順を示す。
最初の工程で眼底共役面６０１にチャート８０１を挿入する。チャート８０１はガラス上にクロム蒸着でラインを形成したものであり、ラインの交差部分が光軸を示すものである。また、挿入された状態でラインが蒸着されている面が眼底共役面と一致している。
次の工程で、ＸＹスキャナ４０８はその各々の反射面の姿勢を振り角の中心である原点位置に保持する。
次の工程では光源１０１を点灯させる。光源１０１からの光はコネクタ４１０を介して接続用アダプター４００に導かれ光路３５１−１を経由してチャート８０１に到達する。
チャート８０１から反射された光源１０１からの光はダイクロイックミラー４０５の前述した波長特性により、その一部がカメラ部５００内のエリアセンサ５０１に導かれる。
一方で、チャート８０１の可視光像もエリアセンサ５０１に導かれる。
必要に応じて眼底カメラ本体部３００側からチャート８０１を可視光を含む光で照明する。
図５（ｂ）はカメラ部５００に設けられた表示部５０２の上記調整時の画面を示すもので、エリアセンサ５０１上に導かれた像を表示している。
８０１−１，８０１−２はチャート８０１の可視像、７０１、７０２はそれぞれ調整前、調整後の光源１０１からの光の像である。
リレーレンズ３０８、４０６で構成される光学系は眼底撮像用の可視域の波長だけでなく、断層撮像用の光の波長においても良好に収差を抑えた設計とされており、エリアセンサ５０１上で可視光とズレやボケを生じない。
７０１、７０２は実際はコネクタ４１０に接続されたファイバー１４８端部の光の出射点の像であり、眼底共役面６０１にあるチャート８０１上では最も小さい状態であることが望ましい。
次の工程で、調整前の像７０１を参照しながら、コリメートレンズ４０９を光軸方向に移動させてスポットを最小にする。表示部５０２には画像の拡大機能が備わっており、必要に応じて使用する。
次の工程でその小さいスポットを参照しながらユニット４５１を光軸に垂直な平面内で移動させることによりチャート中心にスポットを一致させて７０２の状態にする。
次の工程でチャート８０１を離間させて調整を終了する。
【００３７】
本実施例の調整においては、他の光学系や撮像系などの特別な工具を用いなくても眼底カメラ本体部３００と接続用アダプター４００の光軸調整が可能となる。
また、眼底カメラ本体部３００内に眼底共役面を備え，その場所で光軸をあわせることができ、眼底まで長い光路長を持つ断層撮像用の光学系も調整容易になる。
断層画像の取得方法、眼底画像の取得方法については実施例２と同様のためこれを省略する。
上記説明において、チャート８０１を眼底カメラ本体部３００に備えると記載したが、着脱可能とし、調整時のみに備えてもよい。
また、ビームスプリッターとしてダイクロイックミラー４０５を備えたが、ハーフミラーでもよい。
このハーフミラーはある一定の割合の広い波長域の光を反射し、残りの光を透過させる。
よって、断層撮像用の光と眼底撮像用の可視光をほぼ等しい割合で反射し、残部を透過させる。
断層画像撮像用のファイバー１４８に可視光も入射するが、ハーフミラーと断層画像撮像１００部内のバランスドディテクタ１２２の間で可視光を実質的に透過しない部材を設けるなどすればよい。
また、調整時に表示部５０２に表示された像を参照して調整する、としたが、像からスポットのボケ量や、チャート交点からのズレ量をパソコン１２５を用いて算出し、表示部５０２に表示させ、それを参照して各部を調整してもよい。
また、表示部５０２はカメラ部５００に備えているが、パソコン１２５の表示部を用いてもよい。
【００３８】
［その他の実施例］
また、本発明は、以下の処理を実行することによっても実現される。
即ち、上述した実施形態の機能を実現するソフトウェア（プログラム）を、ネットワーク又は各種記憶媒体を介してシステム或いは装置に供給して処理するように構成する。
これらの処理は、そのシステム或いは装置のコンピュータ（またはＣＰＵやＭＰＵ等）がプログラムを読み出して実行する処理である。
【符号の説明】
【００３９】
１００：ＯＣＴ撮像部
１０１：光源
１０５：参照光
１０６：測定光
１０７：被検眼
１０８：戻り光
１１４、３０６、３０７、３１７：ミラー
１１７：電動ステージ
１２２：バランスドディテクタ
１２６：角膜
１２７：網膜
１３２：断層画像
１３３：音響光学変調素子
１３５、３０９、３１１：レンズ
１３８：ディテクタ
【図１】
2010119836.tif 000003
【図２】
2010119836.tif 000004
【図３】
2010119836.tif 000005
【図４】
2010119836.tif 000006
【図５】
2010119836.tif 000007